(57)【要約】【課題】映像の視認性を確保しつつ、ユーザの広い視界を確保することができる表示制御装置、表示制御方法及び表示制御プログラムを提案する。【解決手段】本開示に係る表示制御装置は、プロジェクタから投影される映像を反射する透明スクリーンと、透過率が可変な調光フィルムと、を含む表示部に投影される映像を視認するユーザの動作に関する情報を取得する取得部と、ユーザの動作に関する情報に基づいて、透明スクリーンに投影される映像の画素情報と、調光フィルムの透過率とを制御する表示制御部と、を備える。【選択図】図１
2020087050.tif 000002
【特許請求の範囲】
【請求項１】
プロジェクタから投影される映像を反射する透明スクリーンと、透過率が可変な調光フィルムと、を含む表示部に投影される映像を視認するユーザの動作に関する情報を取得する取得部と、
前記ユーザの動作に関する情報に基づいて、前記透明スクリーンに投影される映像の画素情報と、前記調光フィルムの透過率とを制御する表示制御部と
を備えた表示制御装置。
【請求項２】
前記取得部は、
前記ユーザの動作に関する情報として、当該ユーザの視線に関する情報を取得し、
前記表示制御部は、
前記ユーザの視線に関する情報に基づいて、前記透明スクリーンに投影される映像の画素情報と、前記調光フィルムの透過率とを制御する
請求項１に記載の表示制御装置。
【請求項３】
前記取得部は、
前記ユーザの視線に関する情報に基づいて、複数存在する前記表示部のうち、当該ユーザが注視する表示部に関する情報を取得し、
前記表示制御部は、
前記ユーザが注視する表示部と当該ユーザが注視しない表示部とが、異なる画素情報及び透過率となるよう制御する
請求項１に記載の表示制御装置。
【請求項４】
前記表示制御部は、
前記ユーザが注視する表示部には、映像を投影するとともに前記調光フィルムを遮光するよう制御し、当該ユーザが注視しない表示部には、映像を投影せずに前記調光フィルムを透過するよう制御する
請求項３に記載の表示制御装置。
【請求項５】
前記取得部は、
前記ユーザの動作に関する情報として、前記ユーザの頭部のトラッキング情報を取得し、
前記表示制御部は、
前記ユーザの頭部のトラッキング情報に基づいて、前記透明スクリーンに投影される映像の画素情報と、前記調光フィルムの透過率とを制御する
請求項１に記載の表示制御装置。
【請求項６】
前記取得部は、
前記表示部に正対するユーザと当該表示部との相対的な位置関係を取得し、
前記表示制御部は、
前記ユーザと表示部との相対的な位置関係に基づいて、前記透明スクリーンに投影される映像の画素情報と、前記調光フィルムの透過率とを制御する
請求項５に記載の表示制御装置。
【請求項７】
前記取得部は、
前記表示部の周囲の環境情報をさらに取得し、
前記表示制御部は、
前記環境情報に基づいて、前記透明スクリーンに投影される映像の画素情報と、前記調光フィルムの透過率とを制御する
請求項１に記載の表示制御装置。
【請求項８】
前記取得部は、
前記表示部の周囲の照度を取得し、
前記表示制御部は、
前記照度に基づいて、前記透明スクリーンに投影される映像の画素情報と、前記調光フィルムの透過率とを制御する
請求項７に記載の表示制御装置。
【請求項９】
前記表示制御部は、
前記照度と、前記映像の画素情報と、前記調光フィルムの透過率とが予め対応付けられた設定情報に基づいて、当該映像の画素情報と当該調光フィルムの透過率とを制御する
請求項８に記載の表示制御装置。
【請求項１０】
前記表示制御部は、
前記照度が高いほど、前記調光フィルムの透過率を下げるとともに、前記映像の画素の輝度値が高くなるよう制御する
請求項８に記載の表示制御装置。
【請求項１１】
前記取得部は、
透過率が可変な調光ミラーをさらに含む表示部の周囲の環境情報を取得し、
前記表示制御部は、
前記環境情報に基づいて、前記透明スクリーンに投影される映像の画素情報と、前記調光フィルムの透過率と、前記調光ミラーの透過率との少なくともいずれかを制御する
請求項１に記載の表示制御装置。
【請求項１２】
前記表示制御部は、
前記環境情報と、前記映像の画素情報、前記調光フィルムの透過率、及び前記調光ミラーの透過率の少なくともいずれかと、が予め対応付けられた設定情報に基づいて、当該映像の画素情報、当該調光フィルムの透過率、及び当該調光ミラーの透過率の少なくともいずれかを制御する
請求項１１に記載の表示制御装置。
【請求項１３】
コンピュータが、
プロジェクタから投影される映像を反射する透明スクリーンと、透過率が可変な調光フィルムと、を含む表示部に投影される映像を視認するユーザの動作に関する情報を取得し、
前記ユーザの動作に関する情報に基づいて、前記透明スクリーンに投影される映像の画素情報と、前記調光フィルムの透過率とを制御する
表示制御方法。
【請求項１４】
コンピュータを、
プロジェクタから投影される映像を反射する透明スクリーンと、透過率が可変な調光フィルムと、を含む表示部に投影される映像を視認するユーザの動作に関する情報を取得する取得部と、
前記ユーザの動作に関する情報に基づいて、前記透明スクリーンに投影される映像の画素情報と、前記調光フィルムの透過率とを制御する表示制御部と
として機能させるための表示制御プログラム。
【発明の詳細な説明】
【技術分野】
【０００１】
本開示は、表示制御装置、表示制御方法及び表示制御プログラムに関する。詳しくは、プロジェクタを利用した映像表示の制御に関する。
【背景技術】
【０００２】
自動車に設置されるバックミラーやサイドミラー等の電子化が進んでいる。例えば、従来のミラーの位置にディスプレイを設置し、カメラが撮影した映像をディスプレイに表示することにより、従来のミラーよりも広い画角の映像や鮮明な映像をユーザに提供することができる。
【０００３】
例えば、自動車の映像表示に関する技術として、フロントウィンドウ付近にホログラフィック方式で映像を投影することで、運転者のみに必要な映像を視認させる技術が知られている。
【先行技術文献】
【特許文献】
【０００４】
【特許文献１】特開２０１１−２１３１８６号公報
【発明の概要】
【発明が解決しようとする課題】
【０００５】
従来技術によれば、運転者以外の同乗者にとって不必要な情報を表示せず、運転者のみに情報を視認させることができる。
【０００６】
しかしながら、従来技術では、映像の視認性を確保しつつ、ユーザの広い視界を確保することが困難な場合がある。例えば、単にプロジェクタから投影される映像を表示するのみでは、外光の影響を受けやすい自動車内では、特に日中等において、ユーザが映像を明確に視認することは難しい。また、プロジェクタと併用してディスプレイを利用したとしても、物理的なミラーの設置位置にディスプレイが設置されることになるため、ディスプレイの筐体そのものが運転者の視界を遮るおそれがある。なお、上記の課題は、自動車等の車両に限らず、外光にさらされることの多い環境下においても同様である。
【０００７】
そこで、本開示では、映像の視認性を確保しつつ、ユーザの広い視界を確保することができる表示制御装置、表示制御方法及び表示制御プログラムを提案する。
【課題を解決するための手段】
【０００８】
上記の課題を解決するために、本開示に係る一形態の表示制御装置は、プロジェクタから投影される映像を反射する透明スクリーンと、透過率が可変な調光フィルムと、を含む表示部に投影される映像を視認するユーザの動作に関する情報を取得する取得部と、前記ユーザの動作に関する情報に基づいて、前記透明スクリーンに投影される映像の画素情報と、前記調光フィルムの透過率とを制御する表示制御部と、を備える。
【図面の簡単な説明】
【０００９】
【図１】本開示の第１の実施形態に係る表示制御処理の一例を示す図である。
【図２】本開示の第１の実施形態に係る表示制御処理の一例を説明するための図（１）である。
【図３】本開示の第１の実施形態に係る表示制御処理の一例を説明するための図（２）である。
【図４】本開示の第１の実施形態に係る表示制御装置の構成例を示す図である。
【図５】本開示の第１の実施形態に係るデータテーブルの一例を示す図である。
【図６】本開示の第１の実施形態に係る処理の流れを示すフローチャートである。
【図７】本開示の第２の実施形態に係る表示制御処理の一例を示す図である。
【図８】本開示の第２の実施形態に係る表示制御装置の構成例を示す図である。
【図９】本開示の第２の実施形態に係るデータテーブルの一例を示す図（１）である。
【図１０】本開示の第２の実施形態に係るデータテーブルの一例を示す図（２）である。
【図１１】本開示に係る表示制御システムの構成例を示す図である。
【図１２】表示制御装置の機能を実現するコンピュータの一例を示すハードウェア構成図である。
【発明を実施するための形態】
【００１０】
以下に、本開示の実施形態について図面に基づいて詳細に説明する。なお、以下の各実施形態において、同一の部位には同一の符号を付することにより重複する説明を省略する。
【００１１】
以下に示す項目順序に従って本開示を説明する。
１．第１の実施形態
１−１．第１の実施形態に係る表示制御処理の一例
１−２．第１の実施形態に係る表示制御装置の構成例
１−３．第１の実施形態に係る表示制御処理の手順
１−４．第１の実施形態に係る変形例
２．第２の実施形態
２−１．第２の実施形態に係る表示制御処理の一例
２−２．第２の実施形態に係る表示制御装置の構成例
２−３．第２の実施形態に係る変形例
３．その他の実施形態
３−１．本開示に係る表示制御システムの一例
３−２．その他
４．本開示に係る表示制御装置の効果
５．ハードウェア構成
【００１２】
（１．第１の実施形態）
［１−１．第１の実施形態に係る表示制御処理の一例］
本開示では、映像の視認性を確保しつつ、ユーザの広い視界を確保することを可能とする表示制御装置１００について説明する。
【００１３】
一般に、映像を表示するための装置（表示媒体）としては、例えばＬＣＤ（Liquid  Crystal  Display）やＯＬＥＤ（Organic  Light  Emitting  Diode）等の方式が採用されたディスプレイが利用される。しかし、ＬＣＤやＯＬＥＤ方式のディスプレイは、画面の大きさに比例して筐体も大きくなるため、ユーザの視界を遮る可能性がある。例えば、自動車に設置される従来のバックミラーやサイドミラー等に替えてディスプレイが設置される例があるが、この場合、ディスプレイの筐体そのものが運転者の視界を狭めるおそれがある。
【００１４】
ユーザの視界を遮らない映像表示を可能とするための一案として、透明ディスプレイが挙げられる。透明ディスプレイは、例えば、ＬＣＤやＯＬＥＤ等、既知の方式でも実現が可能である。しかし、ＬＣＤやＯＬＥＤ方式では、構造上、発光部周辺の半導体回路が光を遮ることは回避できず、透明度（透過率）を上げることが困難である。また、ＬＣＤやＯＬＥＤ方式のディスプレイは、固定画素であるため、画面の大きさや解像度が固定されるという問題もある。さらに、ＬＣＤやＯＬＥＤ方式の透明ディスプレイは、生産設備が複雑化するという問題もある。
【００１５】
上記の点に鑑みて、透明ディスプレイに替えて、プロジェクタとスクリーンとを組み合わせて映像を表示する案が挙げられる。例えば、超短焦点プロジェクタをスクリーンの直下に設置するような簡易な構成で、ＬＣＤやＯＬＥＤ方式のディスプレイのような表示媒体と同等の機能を発揮することができる。また、プロジェクタには、投影する画像の大きさや解像度を柔軟に設定することができるという利点もある。しかしながら、かかる構成であっても、投影するためのスクリーン等の構成は必須であるため、やはり、ユーザが映像を視聴しない状態では、スクリーン等の表示媒体の存在感を与えることになる。
【００１６】
ところで、プロジェクタが投影を行うスクリーンの一例として、透明スクリーンが存在する。透明スクリーンは、例えば、光を拡散する物質を透過率の高い物質で挟みこむように構成される。透明スクリーンは、通常は透明であるが、映像等の投影を受けた際にはある特定の角度で光を反射することにより、投影された映像をスクリーン上に表示することができる。透明スクリーンによれば、映像を投影していない場合には存在感を感じさせにくいため、スクリーン設置によってユーザの視界が遮られることを回避できる。
【００１７】
しかしながら、透過率の高い透明スクリーンは、外光等の環境光の影響を受けやすい。このため、上記の構成では、暗い室内等で映像を表示することが可能であっても、例えば車両内等の外光下では映像の視認性が極めて低下するおそれがある。一方、環境光の影響を防止しようとしてスクリーン表面にブラック塗装等を施すと、スクリーンの透過率を低下させてしまう。
【００１８】
以上のように、映像表示において、映像の視認性を確保しつつ、ユーザの広い視界を確保することを可能とするためには、種々の課題が存在する。本開示に係る表示制御装置１００は、以下で説明する構成及び表示制御処理により、上記課題を解決する。以下、図１乃至図３を用いて、第１の実施形態に係る表示制御装置１００が実行する表示制御処理の一例を説明する。
【００１９】
図１は、本開示の第１の実施形態に係る表示制御処理の一例を示す図である。本開示の第１の実施形態に係る表示制御処理は、図１に示す表示制御装置１００によって実行される。
【００２０】
第１の実施形態では、表示制御装置１００は、映像を投影する機能を有するプロジェクタ１０、及び、プロジェクタ１０から投影される映像を表示する表示部１５０を構成要素として含む。表示制御装置１００は、プロジェクタ１０の映像の投影、及び、表示部１５０の表示態様を制御する情報処理装置である。
【００２１】
図１での図示は省略するが、第１の実施形態では、表示制御装置１００は、例えばプロジェクタ１０もしくは表示部１５０の内部に組み込まれるマイクロチップ（microchip)のような態様で実現される。あるいは、表示制御装置１００は、プロジェクタ１０もしくは表示部１５０の内部に組み込まれるマイクロチップ等を制御する制御装置であってもよい。なお、図２以下の例では、表示制御装置１００は、自動車に関する電子制御を実行する制御装置であり、自動車に設置されるプロジェクタ１０や表示部１５０を制御する装置である。
【００２２】
また、図１の例では説明をわかりやすくするため、表示部１５０やプロジェクタ１０を個々の装置として記載しているが、表示制御装置１００は、表示部１５０やプロジェクタ１０が一体となった一筐体として構成されてもよい。
【００２３】
また、表示制御装置１００は、プロジェクタ１０や表示部１５０を有線又は無線で制御することが可能であれば、どのような態様であってもよい。例えば、表示制御装置１００は、スマートフォンやタブレット端末等であってもよい。この場合、本開示に係る表示制御処理は、スマートフォンやタブレット端末等にインストールされるアプリケーションの一機能として実現されてもよい。
【００２４】
プロジェクタ１０は、映像データ等を投影する装置である。第１の実施形態では、プロジェクタ１０は、いわゆる超短焦点プロジェクタと称されるものであり、数センチメートルから数１０センチメートル先の媒体に映像を投影可能である。
【００２５】
なお、図１の例では、プロジェクタ１０と表示部１５０とは空間的に分離して描かれているが、プロジェクタ１０は、表示部１５０と一体であってもよい。例えば、プロジェクタ１０は、表示部１５０の下部や上部のベゼル部（縁）に埋め込まれていてもよい。
【００２６】
表示部１５０は、調光フィルム２０と、透明スクリーン３０とを含む。例えば、表示部１５０は、調光フィルム２０と透明スクリーン３０とを貼り合わせることによって構成される。
【００２７】
調光フィルム２０は、電圧もしくは電流制御により、透過率が可変するフィルムである。例えば、調光フィルム２０は、エレクトロクロミック素子を透明電極で挟むことによって構成されるフィルムであり、エレクトロクロミック方式の調光機能を有する。エレクトロクロミック方式では、透明電極に印加する電圧に応じて、エレクトロクロミック素子に酸化反応又は還元反応が生じることで、フィルムの透過率が制御される。なお、調光フィルム２０には、ＳＰＤ（Suspended  Particle  Device）方式やガスクロミック方式等が採用されてもよい。
【００２８】
すなわち、調光フィルム２０は、電子的な制御により、透過率を自在に変化させることができる。例えば、第１の実施形態では、調光フィルム２０は、透過率を最大にした場合には透明（遮光率が最低）となり、透過率を最低にした場合には黒色（遮光率が最大）となるものとする。
【００２９】
透明スクリーン３０は、透明な素材と光を拡散する素材とで構成されるスクリーンである。例えば、透明スクリーン３０が下方もしくは上方に設置されたプロジェクタ１０から投影される光を受けた場合、透明な素材部では光を透過し、光を拡散する素材部では光を拡散（反射）させる。具体的には、透明スクリーン３０は、プロジェクタ１０から投影される光を受けた場合、視聴面、すなわち透明スクリーン３０の正面に光を反射する。これにより、透明スクリーン３０は、透過性を保ちつつ、プロジェクタ１０から投影された映像を表示することができる。
【００３０】
上記のように、表示制御装置１００は、映像の表示面として、透明な部材から構成される表示部１５０を用いることで、ユーザの視界を遮らない映像表示を行うことができる。また、表示制御装置１００は、調光フィルム２０の透過率、及び、プロジェクタ１０が投影する映像信号の設定を制御することで、映像の視認性を向上させることができる。
【００３１】
例えば、表示制御装置１００は、表示部１５０に埋め込まれた照度センサを用いて、表示部１５０の周囲の環境光を検知する。具体的には、表示制御装置１００は、表示部１５０の周囲の照度の数値等（以下、「環境情報」と総称する）を検知する。
【００３２】
そして、表示制御装置１００は、表示部１５０付近で外光等の極めて強い照度が観測される場合、調光フィルム２０が遮光状態になるよう制御する。図１の例では、調光フィルム２０が遮光状態である場合、調光フィルム２０は黒色となるため、表示部１５０は、ブラックスクリーン状態となる。表示部１５０がブラックスクリーンの状態であれば、プロジェクタ１０から投影される映像は、透過率が高い状態と比較して鮮明に表示される。すなわち、表示制御装置１００は、映像の視認性を向上させることができる。
【００３３】
一方、表示制御装置１００は、表示部１５０付近で外光等の極めて強い照度が観測されない場合、調光フィルム２０が透過状態になるよう制御する。図１の例では、調光フィルム２０が透過状態である場合、調光フィルム２０は透明となるため、表示部１５０は、透明スクリーン状態となる。表示部１５０が透明スクリーンの状態であれば、プロジェクタ１０から投影される映像は、透明な部材上に映像が表示される。このため、表示制御装置１００は、空間上に映像が表示されるような新鮮な映像体験をユーザに提供することができる。また、透明スクリーン状態では、ブラックスクリーン状態と比較して、表示部１５０の存在感を比較的ユーザに感じさせないようにすることができる。
【００３４】
また、表示制御装置１００は、環境情報のみならず、ユーザの動作に関する情報に基づいて、調光フィルム２０の透過率を制御してもよい。例えば、表示制御装置１００は、ユーザが表示部１５０を注視していない場合は透明な状態を維持する。一方、表示制御装置１００は、ユーザが表示部１５０を注視したタイミングで調光フィルム２０を遮光させることで、表示部１５０をブラックスクリーン状態に遷移させ、映像を鮮明に表示することができる。
【００３５】
次に、図２を用いて、表示制御装置１００が実行する表示制御処理の一例を説明する。図２は、本開示の第１の実施形態に係る表示制御処理の一例を説明するための図である。
【００３６】
図２に示す例では、表示制御装置１００は、自動車が装備する各種デバイスを電子制御する装置であり、例えば自動車に内蔵されるものとする。図２に示す例では、表示制御装置１００は、複数の表示部１５０Ａ、表示部１５０Ｂ、表示部１５０Ｃの各々を制御する。なお、以下では、複数の表示部１５０Ａ、表示部１５０Ｂ、表示部１５０Ｃの各々を区別する必要のない場合、「表示部１５０」と総称する。
【００３７】
図２に示すように、表示部１５０Ａは、自動車のフロントウィンドウの正面上部に設置される。例えば、表示部１５０Ａは、従来の自動車のバックミラーと同様の位置に設置される。また、表示部１５０Ａの淵には、表示部１５０Ａと正対する方向の空間を撮影するためのカメラが埋め込まれてもよい。例えば、表示部１５０Ａは、自身に設置されたカメラで撮影された映像を表示する。具体的には、表示部１５０Ａは、従来の自動車のバックミラーが映し出す映像と同様の映像を表示する。
【００３８】
また、図２に示すように、表示部１５０Ｂは、自動車の右サイドウィンドウの一部に設置される。例えば、表示部１５０Ｂは、右サイドウィンドウのうち、運転者が従来の自動車の右サイドミラーを確認する場合に視線を向ける位置に設置される。また、表示部１５０Ｂの淵には、表示部１５０Ｂと正対する方向の空間を撮影するためのカメラが埋め込まれてもよい。例えば、表示部１５０Ｂは、自身に設置されたカメラで撮影された映像を表示する。具体的には、表示部１５０Ｂは、従来の自動車の右サイドミラーが映し出す映像と同様の映像を表示する。
【００３９】
また、図２に示すように、表示部１５０Ｃは、自動車の左サイドウィンドウの一部に設置される。例えば、表示部１５０Ｃは、左サイドウィンドウのうち、運転者が従来の自動車の左サイドミラーを確認する場合に視線を向ける位置に設置される。また、表示部１５０Ｃの淵には、表示部１５０Ｃと正対する方向の空間を撮影するためのカメラが埋め込まれてもよい。例えば、表示部１５０Ｃは、自身に設置されたカメラで撮影された映像を表示する。具体的には、表示部１５０Ｃは、従来の自動車の左サイドミラーが映し出す映像と同様の映像を表示する。
【００４０】
また、図２での図示は省略するが、表示制御装置１００に係るプロジェクタ１０は、例えば、表示部１５０Ａ、表示部１５０Ｂ、表示部１５０Ｃの各々の上部もしくは下部に設置される。例えば、プロジェクタ１０は、速度メーター等が設置される自動車のフロントパネル内に、各々の表示部１５０に映像が投影可能なように埋め込まれて設置されてもよい。
【００４１】
表示制御装置１００に係る表示部１５０は、映像を表示しない状態では透明であるため、自動車の内側から外部への視界を妨げない。すなわち、ユーザは、通常のウィンドウと同じ態様で表示部１５０を取り扱うことができる。
【００４２】
図２の例において、表示制御装置１００は、表示部１５０を視認するユーザの動作に関する情報を検知するデプスセンサ（Depth  sensor）１４２を備える。
【００４３】
デプスセンサ１４２は、対象物体までの距離を検知し、その距離に基づいて対象物体の形状を推定したり、対象物体の動きを検知したりするデバイスである。デプスセンサ１４２は、ＴｏＦ（Time  of  Flight）方式やステレオカメラ方式、ＳＬ（Structured-Light）方式、赤外線方式等、いずれの方式であってもよい。例えば、デプスセンサ１４２は、映像を視聴するユーザまでの距離や、ユーザの動き等の情報を検知する。また、図２では図示を省略するが、表示制御装置１００は、ユーザの視線を追跡（いわゆるアイトラッキング（eye  tracking））するためのセンサ（可視光外カメラ等）を別に備えてもよい。これにより、表示制御装置１００は、ユーザの動作やユーザの視線を継続的に取得可能である。
【００４４】
例えば、表示制御装置１００は、ユーザの動作に関する情報の一例として、ユーザが運転席に所在することを示す情報を取得する。この場合、表示制御装置１００は、表示部１５０Ａ、表示部１５０Ｂ、表示部１５０Ｃの各々に映像を表示させてもよい。例えば、表示制御装置１００は、表示部１５０Ａ、表示部１５０Ｂ、表示部１５０Ｃの各々が従来のミラーと同じ機能を発揮するように、各々のカメラが捉えた映像を各々に表示するよう制御する。
【００４５】
また、表示制御装置１００は、ユーザが運転席に所在せず、他の席に所在する情報を取得する。この場合、表示制御装置１００は、自動車が運転中ではなく、ユーザが助手席等で待機している状態であると判定し、表示部１５０Ａ、表示部１５０Ｂ、表示部１５０Ｃの各々にミラー以外の映像（例えば、娯楽に関する映像コンテンツ等）を表示させてもよい。
【００４６】
また、表示制御装置１００は、表示部１５０Ａ、表示部１５０Ｂ、表示部１５０Ｃの各々に映像を表示させる場合、環境情報に合わせて、調光フィルム２０の透過率を制御してもよい。例えば、表示制御装置１００は、外光の照度に応じて、ユーザが映像を視認しやすいような透過率となるよう、調光フィルム２０を制御する。また、表示制御装置１００は、環境情報に合わせて、プロジェクタ１０が投影する映像の画素情報を制御してもよい。例えば、表示制御装置１００は、外光の強さ（照度）に応じて、映像の輝度値やコントラストを調整する。具体的には、表示制御装置１００は、照度が高いほど、映像の輝度値やコントラストが高くなるよう制御してもよい。より具体的には、表示制御装置１００は、画質のプリセット設定を呼び出し、いわゆる「vivid（高輝度、高コントラスト、高色温度）」等と称される映像モードに切り替えてもよい。このように、表示制御装置１００は、環境情報に応じて、画素情報の設定（ガンマ、シャープネス、色の濃さ等）に対する調整を適宜行ってもよい。
【００４７】
また、表示制御装置１００は、ユーザの視線に関する情報に応じて、プロジェクタ１０が投影する映像の画素情報を制御してもよい。具体的には、表示制御装置１００は、ユーザの視線に関する情報に応じて、表示部１５０Ａ、表示部１５０Ｂ、表示部１５０Ｃの各々に映像を表示させるか否かを判定してもよい。
【００４８】
例えば、表示制御装置１００は、デプスセンサ１４２等やアイトラッキング用のセンサを利用して、ユーザが表示部１５０Ａや表示部１５０Ｂを注視していることを検知する。同様に、表示制御装置１００は、ユーザが表示部１５０Ｃを注視していないことを検知する。この場合、表示制御装置１００は、表示部１５０Ａや表示部１５０Ｂについては映像を表示する。すなわち、表示制御装置１００は、表示部１５０Ａや表示部１５０Ｂを遮光状態にするとともに、映像の投影を行うようプロジェクタ１０を制御する。一方、表示制御装置１００は、表示部１５０Ｃを透過状態にするとともに、表示部１５０Ｃへの映像の投影を停止するようプロジェクタ１０を制御する。
【００４９】
これにより、表示制御装置１００は、ユーザが注視する表示部１５０Ａや表示部１５０Ｃには視認性の高い映像を表示しつつ、表示部１５０Ｃを透明状態とすることで、ユーザの視界を広く確保することができる。すなわち、表示制御装置１００によれば、映像を表示する箇所やタイミング、また、調光フィルム２０の透過率を種々の状況に応じて可変することで、例えば昼間の晴れている状況での映像の視認性を向上しつつ、かつ、運転中の視野を確保することができる。
【００５０】
なお、上記では、ユーザのアイトラッキングによる情報に基づいて透過率等を制御する例を示したが、表示制御装置１００は、アイトラッキングではなく、ヘッドトラッキングした情報等を用いて透過率等を制御してもよい。
【００５１】
上記のように、第１の実施形態に係る表示制御装置１００は、プロジェクタ１０から投影される映像を反射する透明スクリーン３０と、透過率が可変な調光フィルム２０と、を含む表示部１５０に投影される映像を視認するユーザの動作に関する情報を取得する。また、表示制御装置１００は、ユーザの動作に関する情報に基づいて、透明スクリーン３０に投影される映像の画素情報と、調光フィルム２０の透過率とを制御する。
【００５２】
具体的には、表示制御装置１００は、自動車内にユーザが所在することや、ユーザの視線に応じて、表示部１５０の透過率を調整するとともに、映像を投影するか否かを判定したり、投影する映像の種別を選択したり、映像信号の設定を切り替えたりする。これにより、表示制御装置１００は、ウィンドウとしての視認性を保持しつつ、ユーザが所望する場合等には、ミラーとしての機能を発揮することができる。また、表示制御装置１００は、調光フィルム２０の透過率を制御することで、外光等の強い光の下でも映像の視認性を低下させないため、運転の安全性を向上させることができる。なお、表示制御装置１００は、映像を表示しない場合であっても、周囲の照度に合わせて透過率を制御することで、表示部１５０を外光の影響を受けにくい状態（例えば、半透過の状態）に変化させてもよい。
【００５３】
また、表示制御装置１００は、表示部１５０に投影する映像について、ミラー映像に重畳させて、現在の速度やエンジン回転数等、自動運転に関する情報等を表示してもよい。この点について、図３を用いて説明する。図３は、本開示の第１の実施形態に係る表示制御処理の一例を説明するための図（２）である。
【００５４】
図３では、フロントウィンドウとは別に、運転者の前方に表示部１５０Ｄが設置される例を示している。具体的には、図３の例では、表示部１５０Ｄは、従来、いわゆるサンバイザーが設置される位置に設置される。
【００５５】
ユーザが映像の表示を所望しない場合、表示制御装置１００は、表示部１５０Ｄを透過状態もしくは半透過状態に制御し、視界を遮らない表示とする。
【００５６】
その後、表示制御装置１００は、ユーザから映像表示の要求を受け付ける。例えば、表示制御装置１００は、自動運転中のユーザから、自動運転に関する情報（現在走行しているルートや、速度や、周囲の物体認識の情報等）を表示させる旨の要求を受け付ける。
【００５７】
この場合、表示制御装置１００は、表示部１５０Ｄを遮光状態に遷移させるとともに、表示部１５０Ｄに映像を投影する（ステップＳ１）。この場合、図３に示すように、表示制御装置１００は、表示部１５０Ｄに、自動車が認識した周囲の物体等の自動運転に関する情報を表示する。
【００５８】
このように、表示制御装置１００は、例えばユーザの操作に応じて表示部１５０Ｄの透過状態と遮光状態とを切り替えてもよい。また、この場合も、表示制御装置１００は、調光フィルム２０の透過率や映像信号を適切に制御することで、視認性の高い映像を提することができる。
【００５９】
また、表示制御装置１００は、プロジェクタ１０によって映像を投影することから、画像の大きさや映像を投影する場所を柔軟に変更することができる。例えば、図２では、ウィンドウの一部に映像が投影される例を示しているが、表示制御装置１００は、ウィンドウ全体に映像を表示してもよい。また、表示制御装置１００は、映像が投影された領域のみを遮光する等、投影位置に合わせて、映像の視認性を向上させるための処理を行ってもよい。
【００６０】
また、表示制御装置１００は、照度センサに基づいて、太陽の直射箇所や照り返しの強い位置等、映像鑑賞の妨げになると想定される位置を特定し、特定した位置を避けて映像を投影してもよい。あるいは、表示制御装置１００は、強い光が観測される高輝度点の位置を特定し、ユーザがその位置を視認しなくてもすむ位置に映像を投影するよう制御してもよい。
【００６１】
以下、第１の実施形態に係る表示制御装置１００等の構成について、図４以下を用いて説明する。
【００６２】
［１−２．第１の実施形態に係る表示制御装置の構成例］
図４を用いて、表示制御装置１００の構成について説明する。図４は、本開示の実施形態に係る表示制御装置１００の構成例を示す図である。図４に示すように、表示制御装置１００は、通信部１１０と、記憶部１２０と、制御部１３０と、センサ１４０と、表示部１５０と、出力部１６０とを有する。
【００６３】
なお、図４に示した構成は機能的な構成であり、ハードウェア構成はこれとは異なっていてもよい。また、表示制御装置１００の機能は、複数の物理的に分離された装置に分散して実装されてもよい。例えば、表示制御装置１００は、表示媒体である表示部１５０と、プロジェクタ１０と、表示部１５０及びプロジェクタ１０を制御する制御装置とに分離されてもよい。
【００６４】
通信部１１０は、例えば、ＮＩＣ（Network  Interface  Card）等によって実現される。通信部１１０は、ＵＳＢ（Universal  Serial  Bus）ホストコントローラ、ＵＳＢポート等により構成されるＵＳＢインターフェイスであってもよい。また、通信部１１０は、プロジェクタ１０に投影される映像ファイルの入力を受け付けるためのＨＤＭＩ（High-Definition  Multimedia  Interface）（登録商標）インターフェイス等であってもよい。また、通信部１１０は、有線インターフェイスであってもよいし、無線インターフェイスであってもよい。例えば、通信部１１０は、無線ＬＡＮ方式やセルラー通信方式の無線通信インターフェイスであってもよい。通信部１１０は、表示制御装置１００の通信手段或いは送信手段として機能する。例えば、通信部１１０は、ネットワークＮ（インターネット等）と有線又は無線で接続され、ネットワークＮを介して、他の情報処理端末等との間で情報の送受信を行う。例えば、通信部１１０は、ネットワークＮを介して、ユーザからの操作や各種情報の入力を受け付けてもよい。
【００６５】
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、各種データを記憶する。
【００６６】
例えば、記憶部１２０は、ユーザの動作に応じてどのように透過率や映像を制御するかという情報が設定されたデータテーブルＤＢ１１を記憶する。
【００６７】
図５に、第１の実施形態に係るデータテーブルＤＢ１１の一例を示す。図５は、本開示の第１の実施形態に係るデータテーブルＤＢ１１の一例を示す図である。図５に示した例では、データテーブルＤＢ１１は、「設定ＩＤ」、「視線検出」、「調光フィルム」、「映像信号調整」といった項目を有する。
【００６８】
「設定ＩＤ」は、設定情報を識別する識別情報を示す。「視線検出」は、ユーザの動作に関する情報のうち、ユーザの視線検出に関する情報を示す。例えば、視線検出が「右サイドミラー」とは、ユーザが右サイドミラーに対応する箇所（図２の例では、表示部１５０Ｂ）を注視していることを示す。
【００６９】
「調光フィルム」は、調光フィルム２０の透過状態を示す。例えば、調光フィルムが「右サイドミラーのみ遮光」とは、右サイドミラーに対応する箇所の表示部１５０に係る調光フィルム２０を遮光状態に制御することを示す。なお、図５の例では、調光フィルムの項目に「遮光」等の相対的な情報が記憶される例を示しているが、調光フィルムの項目には、具体的な数値（透過率）が記憶されてもよい。
【００７０】
「映像信号調整」は、プロジェクタ１０から投影される映像信号の設定情報を示す。例えば、映像信号調整が「右サイドミラー部映像オン」とは、右サイドミラーに対応する箇所の表示部１５０に対して映像の投影を行うことを示す。なお、図５での図示は省略しているが、映像信号調整の項目には、投影する映像の輝度情報の設定等が記憶されてもよい。例えば、映像信号調整の項目には、「vivid」、「Standard」、「Film」等のプリセットされた映像モード等が記憶されてもよい。これらの映像モードには、例えば、各々に異なる輝度やコントラスト、色温度等の具体的な数値（画素情報）が設定される。
【００７１】
すなわち、図５に示した例では、設定ＩＤが「Ａ１１」で識別される設定情報の一例として、視線検出が「右サイドミラー」である場合には、調光フィルムは「右サイドミラーのみ遮光」に制御され、映像信号は「右サイドミラー部映像オン」に調整されることを示している。
【００７２】
図４に戻って説明を続ける。制御部１３０は、例えば、ＣＰＵ（Central  Processing  Unit）やＭＰＵ（Micro  Processing  Unit）、ＧＰＵ（Graphics  Processing  Unit）等によって、表示制御装置１００内部に記憶されたプログラム（例えば、本開示に係る表示制御プログラム）がＲＡＭ（Random  Access  Memory）等を作業領域として実行されることにより実現される。また、制御部１３０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００７３】
図４に示すように、制御部１３０は、検知部１３１と、取得部１３２と、表示制御部１３３とを有し、以下に説明する情報処理の機能や作用を実現または実行する。なお、制御部１３０の内部構成は、図４に示した構成に限られず、後述する情報処理を行う構成であれば他の構成であってもよい。
【００７４】
検知部１３１は、センサ１４０を制御することにより、各種情報を検知する。例えば、検知部１３１は、表示制御装置１００や表示部１５０の周囲の環境を示す環境情報を検知する。
【００７５】
センサ１４０は、表示制御装置１００に関する各種情報を検知するデバイスである。例えば、センサ１４０は、照度センサ１４１やデプスセンサ（Depth  sensor）１４２を含む。
【００７６】
照度センサ１４１は、環境光センサ等とも称され、フォトトランジスタやフォトダイオード等を利用して、周囲の照度を検知するデバイスである。
【００７７】
デプスセンサ１４２は、対象物体までの距離を検知し、その距離に基づいて対象物体の形状を推定したり、対象物体の動きを検知したりするデバイスである。デプスセンサ１４２は、ＴｏＦ（Time  of  Flight）方式やステレオカメラ方式、ＳＬ（Structured-Light）方式、赤外線方式等、いずれの方式であってもよい。例えば、デプスセンサ１４２は、映像を視聴するユーザまでの距離や、ユーザの動き等の情報を検知する。
【００７８】
なお、図４で示したセンサ１４０は一例であり、表示制御装置１００は、環境情報を示す数値（例えば、温度、湿度、高度等）を検知するための種々のセンサを備えてもよい。また、センサ１４０には、ユーザの動作に関する情報のうち、ユーザの視線の方向や視線の動きをトラッキングするためのセンサが含まれてもよい。また、センサ１４０は、ユーザの身体等に取り付けられる態様であってもよい。この場合、表示制御装置１００は、センサ１４０からネットワークＮを介して送信されるセンシング情報（トラッキング情報等）を取得する。
【００７９】
取得部１３２は、各種情報を取得する。例えば、取得部１３２は、検知部１３１によって検知された、各種センシング情報を取得する。具体的には、取得部１３２は、取得部１３２は、プロジェクタ１０から投影される映像を反射する透明スクリーン３０と、透過率が可変な調光フィルム２０とを含む表示部１５０に投影される映像を視認するユーザの動作に関する情報を取得する。
【００８０】
例えば、取得部１３２は、デプスセンサ１４２により検知された、表示部１５０の周囲のユーザの動作に関する情報を取得する。なお、表示部１５０の周囲のユーザとは、例えば、デプスセンサ１４２により測距等が可能なユーザをいう。
【００８１】
また、取得部１３２は、ユーザの動作に関する情報として、ユーザの視線に関する情報を取得する。具体的には、取得部１３２は、ユーザがどこを注視しているかといった、ユーザのアイトラッキング情報を取得する。
【００８２】
アイトラッキング情報として、取得部１３２は、例えば、ユーザが表示部１５０を注視しているか否かを示す情報を取得する。具体的には、取得部１３２は、図２の例のように表示部１５０複数存在する場合、複数存在する表示部１５０のうち、ユーザが注視する表示部１５０に関する情報を取得してもよい。
【００８３】
また、取得部１３２は、ユーザの動作に関する情報として、ユーザの頭部のトラッキング情報を取得してもよい。
【００８４】
例えば、取得部１３２は、ユーザの頭部のトラッキング情報として、表示部１５０に正対するユーザと表示部１５０との相対的な位置関係を取得する。具体的には、取得部１３２は、デプスセンサ１４２が物体を検知可能な画角のうち、正対していると判定される角度内（例えば、プラスマイナス１０度等）にユーザが所在する場合、ユーザが表示部１５０と正対していると判定する。あるいは、取得部１３２は、デプスセンサ１４２が物体を検知可能な画角のうち、大きく外れていると判定される角度内（例えば、デプスセンサ１４２が物体を検知可能な画角の制限付近）にユーザが所在する場合、ユーザが表示部１５０とは正対せず、外れた位置に所在していると判定する。また、取得部１３２は、ユーザが表示部１５０に正対する位置と、大きく外れていると判定される位置との間にユーザが所在すること等を判定する。
【００８５】
これにより、取得部１３２は、例えばユーザが自動車内に所在しているか、運転席に所在しているか、あるいは、助手席等に所在しているか等を判定することができる。また、後述する表示制御部１３３は、ユーザの位置関係に基づき、あるユーザに対して、どの位置に配置された表示部１５０で映像を表示するか、といった選択を行うことができる。
【００８６】
また、取得部１３２は、検知部１３１によって取得された環境情報を取得する。具体的には、取得部１３２は、プロジェクタ１０から投影される映像を反射する透明スクリーン３０と、透過率が可変な調光フィルム２０とを含む表示部１５０の周囲の環境情報を取得する。
【００８７】
例えば、取得部１３２は、表示部１５０近傍に備えられる照度センサ１４１により検知された、表示部１５０の周囲の照度を取得する。
【００８８】
取得部１３２は、取得した情報を、適宜、記憶部１２０に格納する。また、取得部１３２は、記憶部１２０内から、適宜、処理に要する情報を取得してもよい。また、取得部１３２は、ネットワークＮを介して、種々の外部装置から情報を取得してもよい。
【００８９】
表示制御部１３３は、ユーザの動作に関する情報に基づいて、透明スクリーン３０に投影される映像の画素情報と、調光フィルム２０の透過率とを制御する。
【００９０】
例えば、表示制御部１３３は、ユーザの視線に関する情報に基づいて、透明スクリーン３０に投影される映像の画素情報と、調光フィルム２０の透過率とを制御する。
【００９１】
例えば図２で示したように、表示制御部１３３は、表示部１５０が複数存在する場合に、ユーザが注視する表示部１５０とユーザが注視しない表示部１５０とが、異なる画素情報及び透過率となるよう制御する。
【００９２】
より具体的には、表示制御部１３３は、ユーザが注視する表示部１５０には、映像を投影するとともに調光フィルム２０を遮光するよう制御し、ユーザが注視しない表示部１５０には、映像を投影せずに調光フィルム２０を透過するよう制御する。これにより、表示制御部１３３は、ユーザが注視する際に映像を表示させるとともに、ユーザが注視していない箇所については透過状態を維持するので、ユーザの視界を広く保持することができる。
【００９３】
また、表示制御部１３３は、ユーザの頭部のトラッキング情報に基づいて、透明スクリーン３０に投影される映像の画素情報と、調光フィルム２０の透過率とを制御してもよい。
【００９４】
例えば、表示制御部１３３は、ユーザと表示部１５０との相対的な位置関係に基づいて、透明スクリーン３０に投影される映像の画素情報と、調光フィルム２０の透過率とを制御する。具体的には、表示制御部１３３は、ユーザが正面に正対している表示部１５０にのみ映像を表示し、ユーザの側面に位置する表示部１５０は透過状態を維持してもよい。
【００９５】
また、表示制御部１３３は、環境情報に基づいて、透明スクリーン３０に投影される映像の画素情報と、調光フィルム２０の透過率とを制御してもよい。例えば、表示制御部１３３は、環境情報の一例として、表示部１５０の周囲の照度に基づいて、画素情報や透過率を制御する。
【００９６】
例えば、表示制御部１３３は、環境情報の一例である照度と、映像の画素情報と、調光フィルムの透過率とが予め対応付けられた設定情報に基づいて、映像の画素情報と調光フィルムの透過率とを制御する。設定情報は、例えば、予め記憶部１２０内に格納される。
【００９７】
一例として、表示制御部１３３は、照度が高いほど、調光フィルムの透過率を下げるとともに、映像の画素の輝度値が高くなるよう制御する。これにより、表示制御部１３３は、外光など照度の高い状況下においても、鮮明な映像を表示することができる。
【００９８】
図４に示すように、表示制御部１３３は、調光部１３４と、信号制御部１３５とを有し、調光部１３４と信号制御部１３５とを制御することで、上記した各処理を実行する。
【００９９】
調光部１３４は、調光フィルムの透過率を制御する。例えば、調光部１３４は、ユーザの動作や表示部１５０の周囲の照度に応じて、調光フィルムの透過率を制御する。具体的には、調光部１３４は、データテーブルＤＢ１１を参照して、ユーザが注視した調光フィルム２０の透過率が予め定められた設定値となるよう、調光フィルム２０に与える電圧もしくは電流値を制御する。
【０１００】
信号制御部１３５は、いわゆるビデオプロセッサであり、透明スクリーン３０に投影される映像の画素情報を制御する。例えば、信号制御部１３５は、ユーザの動作や表示部１５０の周囲の照度に応じて、透明スクリーン３０に投影される映像の画素情報を制御する。具体的には、信号制御部１３５は、データテーブルＤＢ１１を参照して、ユーザが注視した表示部１５０に映像を投影したり、ユーザが注視していない表示部１５０への映像を一時停止したりする。また、信号制御部１３５は、照度に応じた画素情報となるよう映像信号の出力値を制御する。例えば、信号制御部１３５は、映像信号における輝度やコントラスト、色温度等が照度に応じた設定値となるよう、映像信号の出力値を制御する。
【０１０１】
表示部１５０は、プロジェクタ１０から投影された映像を表示する表示媒体である。図４に示すように、表示部１５０は、調光フィルム２０及び透明スクリーン３０を含む。
【０１０２】
出力部１６０は、各種情報を出力するためのデバイスである。図４に示すように、出力部１６０は、プロジェクタ１０及びスピーカ６０を含む。プロジェクタ１０は、表示制御部１３３によって設定された映像信号に基づいて、映像信号を表示部１５０に投影する。スピーカ６０は、取得部１３２によって取得された映像ファイルや、記憶部１２０内に記憶された映像ファイルのうち、音声信号を出力する。
【０１０３】
［１−３．第１の実施形態に係る表示制御処理の手順］
次に、図６を用いて、第１の実施形態に係る情報処理の手順について説明する。図６は、本開示の第１の実施形態に係る処理の流れを示すフローチャートである。
【０１０４】
図６に示すように、表示制御装置１００は、ユーザの動作情報を取得したか否かを判定する（ステップＳ１０１）。動作情報を取得していない場合（ステップＳ１０１；Ｎｏ）、表示制御装置１００は、センサ１４０を制御し、動作情報を取得するための処理を繰り返す。例えば、表示制御装置１００は、センサ１４０でユーザを検知するまで待機する。
【０１０５】
動作情報を取得した場合（ステップＳ１０１；Ｙｅｓ）、表示制御装置１００は、動作情報に基づいて、調光フィルム２０の透過率を決定する（ステップＳ１０２）。
【０１０６】
また、表示制御装置１００は、動作情報に基づいて、プロジェクタ１０から出力される映像信号の設定を決定する（ステップＳ１０３）。
【０１０７】
続けて、表示制御装置１００は、ステップＳ１０２で決定された透過率を調光フィルム２０に設定する（ステップＳ１０４）。具体的には、表示制御装置１００は、ステップＳ１０２で決定された透過率へ調光フィルム２０を変更するためのパラメータ（電圧値等）に基づいて調光フィルム２０を制御することで、調光フィルム２０の透過率を遷移させる。
【０１０８】
また、表示制御装置１００は、ステップＳ１０３で決定された映像設定でプロジェクタ１０を制御することにより、映像設定に基づいて表示部１５０に映像を投影する（ステップＳ１０５）。なお、表示制御装置１００は、ステップＳ１０３において、「映像オフ」等の設定が決定された場合、表示部１５０に映像を投影することを一時停止してもよい。
【０１０９】
その後、表示制御装置１００は、映像の投影を終了する操作を受け付けたか否かを判定する（ステップＳ１０６）。なお、映像の投影を終了する操作とは、ユーザによる映像の投影終了操作が行われたことの他に、例えば、ユーザが自動車のエンジンを切ったこと等の状況を含む。ユーザから映像の投影を終了する操作を受け付けていない場合（ステップＳ１０６；Ｎｏ）、表示制御装置１００は、動作情報を取得する処理を繰り返し、動作情報に応じて適切な映像表示となるよう、透過率や映像設定の調整を継続する。一方、ユーザから映像の投影を終了する操作を受け付けた場合（ステップＳ１０６；Ｙｅｓ）、表示制御装置１００は、映像の投影を終了する。
【０１１０】
［１−４．第１の実施形態に係る変形例］
第１の実施形態に係る表示制御装置１００は、プロジェクタ１０として、超短焦点プロジェクタに限らず、一般的な焦点距離を有するプロジェクタを備えてもよい。また、表示制御装置１００は、ユーザが利用するスマートフォン等の端末装置から、例えばＷｉ−Ｆｉ（登録商標）やＢｌｕｅｔｏｏｈ（登録商標）機能を利用して、調光や映像の設定操作を受け付けてもよい。
【０１１１】
（２．第２の実施形態）
［２−１．第２の実施形態に係る表示制御処理の一例］
第２の実施形態に係る表示制御装置２００は、表示部２５０を有する。表示部２５０は、調光フィルム２０、透明スクリーン３０に加えて、調光ミラー４０をさらに有する。以下、第２の実施形態に係る表示制御装置２００が実行する表示制御処理について説明する。なお、第１の実施形態と重複する説明については、記載を省略する。
【０１１２】
図７は、本開示の第２の実施形態に係る表示制御処理の一例を示す図である。本開示の第２の実施形態に係る表示制御処理は、図２に示す表示制御装置２００によって実行される。
【０１１３】
図７に示すように、第２の実施形態に係る表示部２５０は、調光フィルム２０と、透明スクリーン３０と、調光ミラー４０とを含む。例えば、表示部２５０は、調光フィルム２０と、透明スクリーン３０と、調光ミラー４０とを貼り合わせることによって構成される。
【０１１４】
調光ミラー４０は、例えばエレクトロクロミック素子を透明電極で挟むことによって構成される。調光ミラー４０は、電子的な制御により、ミラー状態と透明状態とを切り替えることができる。
【０１１５】
第２の実施形態に係る表示制御装置２００は、調光フィルム２０、透明スクリーン３０に加えて、調光ミラー４０の透過率を制御することにより、種々の映像表示を行うことができる。
【０１１６】
例えば、表示制御装置２００は、表示部２５０の透過率を制御することで、第１の実施形態でも説明したブラックスクリーン状態及び透明スクリーン状態に加えて、ミラーを表示させつつ、スクリーンとしても運用可能な状態とすることができる。係る状態を、図７の例では、「ミラー＋スクリーン状態」として示す。ミラー＋スクリーン状態では、表示制御装置２００は、ミラー状態の表示部２５０に、さらに映像を重畳して表示することができる。
【０１１７】
また、表示制御装置２００は、調光フィルム２０を透過させ、かつ、調光ミラー４０をミラー状態に制御することで、表示部２５０をミラー状態にすることもできる。これにより、表示制御装置２００は、映像を投影しない場合、表示部２５０をミラーとしてユーザに提供することができる。
【０１１８】
例えば、表示制御装置２００が第１の実施形態と同様に自動車内に設置される場合、従来のバックミラーやサイドミラーに替えて、図７で示したような表示部２５０が、バックミラーやサイドミラーの対応箇所に設置されてもよい。
【０１１９】
この場合、表示制御装置２００は、調光ミラー４０を透明に制御することで、従来のようなミラーの形状を保持しつつ、表示部２５０を透明状態にすることができる。このため、表示制御装置２００によれば、前方や側方のユーザの視界を広く確保することができる。また、表示制御装置２００によれば、例えば夜間など、本来のミラーだけでは視認性が確保できないと想定される場合には、カメラで捉えた映像表示を行い、後方や側方に関する視認性を向上させることができる。例えば、表示制御装置２００は、本来のミラーよりも広い画角の映像を表示部２５０に投影することで、ユーザにより広い画角の状況把握を促すことができる。これにより、表示制御装置２００は、運転に関する安全性を高めることができる。
【０１２０】
また、表示制御装置２００に係る表示部２５０は、通常は透明状態を維持することができるため、本来のバックミラーやサイドミラーの箇所に限定されず、様々な箇所に設置することができる。これにより、表示制御装置２００は、映像を確認する際に視認する場所をユーザに任意に選択させるなど、柔軟な運用を行うことができる。
【０１２１】
なお、表示制御装置２００は、自動車のミラーに限らず、様々な用途に利用されてもよい。一例として、表示制御装置２００は、化粧台ミラーとして設置されてもよい。表示制御装置２００に係るプロジェクタ１０は、例えば化粧台ミラーの下部に設置される。なお、プロジェクタ１０は、例えば床面に設置されてもよいし、化粧台ミラーの淵に埋め込まれてもよい。
【０１２２】
表示制御装置２００に係る表示部２５０は、映像を表示しない状態ではミラー状態となる。すなわち、ユーザは、化粧台ミラーと同じ態様で表示制御装置２００を取り扱うことができる。
【０１２３】
その後、ユーザからの映像表示の操作を受け付けた場合、表示制御装置２００は、映像を表示する処理を開始する。このとき、表示制御装置２００は、例えば調光ミラー４０を透過させ、ミラー状態を解除する。これにより、表示部２５０は、ミラーではなく映像を表示するスクリーンとしての機能を発揮する。すなわち、ユーザは、化粧台に設置されたミラーで映像を視聴することができる。具体的には、ユーザは、自身のメイクアップの手本となるような映像コンテンツを表示制御装置２００に表示させることができる。このとき、表示制御装置２００は、第１の実施形態と同様、環境情報に応じて調光フィルム２０の透過率や映像信号を調整し、映像の視認性を向上させてもよい。
【０１２４】
また、表示制御装置２００は、ユーザの操作やユーザの動作に合わせて、ミラー状態と透過状態を切り替える処理を行ってもよい。
【０１２５】
例えば、ユーザは、予め用意したメイクアップの見本となる映像コンテンツを表示させながら、自身のメイクアップを行うものとする。この場合、ユーザは、映像コンテンツを表示させながら自身の顔をミラーに表示させたい場合、調光ミラー４０を半透過状態に設定する。これにより、ユーザは、映像コンテンツを表示させながら自身の顔をミラーでも確認することができる。
【０１２６】
また、表示制御装置２００は、ユーザから操作を受け付けず、自動的にスクリーンの表示状態を変化させてもよい。例えば、表示制御装置２００は、表示部２５０の淵等に設置されたデプスセンサ１４２を利用して、ユーザの動作情報を取得する。具体的には、表示制御装置２００は、ユーザが表示部２５０に正対しているか、あるいは、斜めから表示部２５０を見ているか、などのユーザの動作や位置情報を取得する。あるいは、表示制御装置２００は、デプスセンサ１４２による追跡（トラッキング）情報に基づいて、ユーザの頭部の動き等を観測してもよい。
【０１２７】
そして、表示制御装置２００は、例えばユーザが表示部２５０の真正面に位置する場合、プロジェクタ１０からの投影を一時的に停止させ、ユーザがミラーを利用できるようにさせる。また、表示制御装置２００は、例えばユーザが表示部２５０を斜めから覗き込む場合、表示部２５０を半透過にするとともに、プロジェクタ１０からの投影を開始し、映像を表示する。
【０１２８】
これにより、ユーザは、自身がメイクを行う場合はミラーを利用し、ときおり、頭部を少し横に動かす等の動作を行うことで、見本の映像コンテンツを確認することができる。また、表示制御装置２００は、例えばユーザが頭部を表示部２５０に対して上部もしくは下部に移動させた場合、調光フィルム２０を完全に遮光し、かつ、プロジェクタ１０からの投影を開始してもよい。これにより、表示制御装置２００は、ユーザの特定の動作に応じて、より鮮明な映像を表示させることができる。すなわち、表示制御装置２００は、様々なユーザの動作に応じて、表示部２５０やプロジェクタ１０の設定を適宜変更することができる。
【０１２９】
このように、表示制御装置２００は、環境によっては、表示部２５０の透過性を保持したまま、映像を表示することもできる。これにより、表示制御装置２００は、外の風景と映像が混ざり合ったような、新鮮な映像体験をユーザに提供することができる。
【０１３０】
上記のように、表示制御装置１００は、環境情報に基づいて、表示部１５０に係る透明スクリーン３０に投影される映像の画素情報と、表示部１５０に係る調光フィルム２０の透過率と、調光ミラー４０の透過率とを制御する。また、表示制御装置２００は、周囲の照度等のみならず、ユーザの動作に応じて表示部１５０の透過率を調整してもよい。これにより、表示制御装置２００は、ミラーとしての機能性を保持しつつ、ミラーに重畳させて映像を表示するなど、利便性の高い映像表示を行うことができる。
【０１３１】
以下、第２の実施形態に係る表示制御装置２００等の構成について、図８以下を用いて説明する。
【０１３２】
［２−２．第２の実施形態に係る表示制御装置の構成例］
図８を用いて、表示制御装置２００の構成について説明する。図８は、本開示の実施形態に係る表示制御装置２００の構成例を示す図である。図８に示すように、表示制御装置２００は、調光ミラー４０を含む表示部２５０と、記憶部２２０とを有する点で、第１の実施形態と相違する。
【０１３３】
記憶部２２０は、第１の実施形態に係る記憶部１２０が保持する情報に加えて、ユーザの視線に応じてどのように調光ミラー４０を制御するかという情報が設定されたデータテーブルＤＢ１２や、照度に応じてどのように調光ミラー４０を制御するかという情報が設定されたデータテーブルＤＢ１３を記憶する。
【０１３４】
図９に、第２の実施形態に係るデータテーブルＤＢ１２の一例を示す。図９は、本開示の第２の実施形態に係るデータテーブルＤＢ１２の一例を示す図である。図９に示した例では、データテーブルＤＢ１２は、「設定ＩＤ」、「視線検出」、「調光ミラー」といった項目を有する。
【０１３５】
「設定ＩＤ」及び「視線検出」は、図５に示した同一の項目に対応する。「調光ミラー」は、調光ミラーをどのような状態に制御するかという設定情報を示す。例えば、調光ミラーが「右サイドミラーのみミラー」とは、右サイドミラーを遮光状態（ミラー状態）に制御し、その他のミラー部を透過させる状態に制御することを示す。
【０１３６】
すなわち、図９に示した例では、設定ＩＤが「Ａ１２」で識別される設定情報の一例として、視線検出が「右サイドミラー」である場合、調光ミラーは「右サイドミラーのみミラー」という状態に制御されることを示している。
【０１３７】
続けて、データテーブルＤＢ１３について説明する。図１０に、第２の実施形態に係るデータテーブルＤＢ１３の一例を示す。図１０は、本開示の第２の実施形態に係るデータテーブルＤＢ１３の一例を示す図である。図１０に示した例では、データテーブルＤＢ１３は、「設定ＩＤ」、「環境照度値」、「調光フィルム」、「調光ミラー」といった項目を有する。
【０１３８】
「設定ＩＤ」は、図５に示した同一の項目に対応する。「環境照度値」は、表示制御装置１００に検知された環境情報のうち、照度値を示す。なお、図１０の例では、環境照度値の項目に「高」、「中」、「低」等の相対的な情報が記憶される例を示しているが、環境照度値の項目には、具体的な数値が記憶されてもよい。例えば、境照度値の項目「高」は、昼間の外光に対応する数値である。また、境照度値の項目「中」は、例えば、早朝や夕方の外光に対応する数値である。また、境照度値の項目「低」は、例えば、夜間の外光に対応する数値である。
【０１３９】
「調光フィルム」は、調光フィルム２０の透過状態を示す。図１０の例では、調光フィルムの項目に「遮光」、「半透過」、「透過」等の相対的な情報が記憶される例を示しているが、調光フィルムの項目には、具体的な数値（透過率）が記憶されてもよい。
【０１４０】
「調光ミラー」は、調光ミラー４０をどのような透過率に設定するかという設定情報を示す。例えば、調光ミラーが「ミラー」であるとは、ミラーを遮光状態に制御することを示す。また、調光ミラーが「ハーフミラー」であるとは、ミラーを半透過状態に制御することを示す。また、調光ミラーが「オフ（カメラ状態）」であるとは、ミラーを透過状態にして物理ミラーとしての機能を発揮させず、プロジェクタ１０から投影された映像を映す状態であることを示す。
【０１４１】
すなわち、図１０に示した例では、設定ＩＤが「Ａ１３」で識別される設定情報の一例として、環境照度値が「高」である場合、調光フィルムは「遮光」に制御され、調光ミラーは「ミラー」状態に設定されることを示している。
【０１４２】
図８に戻って説明を続ける。第２の実施形態に係る取得部１３２は、照度センサ１４１等を介して、透過率が可変な調光ミラー４０をさらに含む表示部２５０の周囲の環境情報を取得する。
【０１４３】
第２の実施形態に係る表示制御部１３３は、環境情報に基づいて、透明スクリーン３０に投影される映像の画素情報と、調光フィルム２０の透過率と、調光ミラー４０の透過率との少なくともいずれかを制御する。例えば、表示制御部１３３は、図７で示した例のように、調光フィルム２０と調光ミラー４０の透過率のいずれをも同時に変化させてもよいし、調光ミラー４０はミラー状態に固定し、調光フィルム２０の透過率のみを変化させてもよい。
【０１４４】
また、表示制御部１３３は、環境情報と、映像の画素情報、調光フィルム２０の透過率、及び調光ミラー４０の透過率の少なくともいずれかと、が予め対応付けられた設定情報に基づいて、映像の画素情報、調光フィルムの透過率、及び調光ミラー４０の透過率の少なくともいずれかを制御してもよい。具体的には、表示制御部１３３は、データテーブルＤＢ１２やデータテーブルＤＢ１３を参照し、予め設定された情報に基づき、画素情報や透過率等を制御する。
【０１４５】
［２−３．第２の実施形態に係る変形例］
第２の実施形態に係る表示制御装置２００は、調光ミラー４０ではなく、通常のミラーを備えてもよい。かかる構成であっても、表示制御装置２００は、図７に示す透明スクリーン状態以外の状態へ表示部２５０を任意に変更することができる。
【０１４６】
（３．その他の実施形態）
上述した各実施形態に係る処理は、上記各実施形態以外にも種々の異なる形態にて実施されてよい。
【０１４７】
［３−１．本開示に係る表示制御システムの一例］
例えば、本開示に係る表示制御装置は、プロジェクタ１０や表示部１５０と分離され、分離されたプロジェクタ１０と表示部１５０とを制御する装置であってもよい。すなわち、本開示に係る表示制御装置は、プロジェクタ１０と表示部１５０とが組み合わされて構成される装置であって、スタンドアロンで動作する表示装置を制御してもよい。また、本開示に係る表示制御装置は、複数台の表示装置を制御してもよい。
【０１４８】
この場合、本開示に係る表示制御処理は、図１１に示す表示制御システム１によって実行されてもよい。図１１は、本開示に係る表示制御システム１の構成例を示す図である。図１１に示すように、表示制御システム１は、表示制御装置３００と、第１表示装置３００Ａや第２表示装置３００Ｂとを有する。なお、表示制御システム１は、さらに多くの表示装置を有していてもよい。
【０１４９】
表示制御システム１では、表示制御装置３００が、第１表示装置３００Ａや第２表示装置３００Ｂの各々の近傍に備えられた照度センサやデプスセンサに基づいて、各々の表示装置の透過率や映像信号を一括で制御する。
【０１５０】
表示制御システム１によれば、複数台の表示装置を制御することができるので、例えば表示装置が同時に同一のコンテンツを表示する複数のデジタルサイネージ等である場合に、各々の環境に合わせて最適な表示を行うことができる。
【０１５１】
［３−２．その他］
例えば、上記各実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５３】
また、上述してきた各実施形態及び変形例は、処理内容を矛盾させない範囲で適宜組み合わせることが可能である。
【０１５４】
また、本明細書に記載された効果はあくまで例示であって限定されるものでは無く、他の効果があってもよい。
【０１５５】
（４．本開示に係る表示制御装置の効果）
上述のように、本開示に係る表示制御装置（実施形態では表示制御装置１００等）は、取得部（実施形態では取得部１３２）と、表示制御部（実施形態では表示制御部１３３）とを有する。取得部は、プロジェクタから投影される映像を反射する透明スクリーンと、透過率が可変な調光フィルムと、を含む表示部に投影される映像を視認するユーザの動作に関する情報を取得する。表示制御部は、ユーザの動作に関する情報に基づいて、透明スクリーンに投影される映像の画素情報と、調光フィルムの透過率とを制御する。
【０１５６】
このように、本開示に係る表示制御装置は、ユーザの動作に応じて表示部の透過率を調整するとともに、映像を投影するか否かを判定したり、投影する映像の種別を選択したり、映像信号の設定を切り替えたりする。これにより、表示制御装置は、ウィンドウとしての視認性を保持しつつ、必要な場合には、表示部に映像を投影することで、例えばミラーとしての機能を発揮することができる。すなわち、表示制御装置は、映像の視認性を確保しつつ、ユーザの広い視界を確保することができる。
【０１５７】
また、取得部は、ユーザの動作に関する情報として、ユーザの視線に関する情報を取得する。表示制御部は、ユーザの視線に関する情報に基づいて、透明スクリーンに投影される映像の画素情報と、調光フィルムの透過率とを制御する。これにより、表示制御装置は、不要な情報を表示せず、ユーザが必要とする情報のみを選択的に表示することができる。
【０１５８】
また、取得部は、ユーザの視線に関する情報に基づいて、複数存在する表示部のうち、ユーザが注視する表示部に関する情報を取得する。表示制御部は、ユーザが注視する表示部とユーザが注視しない表示部とが、異なる画素情報及び透過率となるよう制御する。これにより、表示制御装置は、ユーザが注視している箇所には必要な情報を表示し、その他の領域ではユーザの広い視界を確保することができる。
【０１５９】
また、表示制御部は、ユーザが注視する表示部には、映像を投影するとともに調光フィルムを遮光するよう制御し、ユーザが注視しない表示部には、映像を投影せずに調光フィルムを透過するよう制御する。これにより、表示制御装置は、鮮明な映像をユーザに提供するとともに、ユーザの広い視界を確保することができる。
【０１６０】
また、取得部は、ユーザの動作に関する情報として、ユーザの頭部のトラッキング情報を取得する。表示制御部は、ユーザの頭部のトラッキング情報に基づいて、透明スクリーンに投影される映像の画素情報と、調光フィルムの透過率とを制御する。これにより、表示制御装置は、ユーザに煩わしい操作を行わせずとも、ユーザの動きに合わせて映像や透過率を切り替えることができる。
【０１６１】
また、取得部は、表示部に正対するユーザと表示部との相対的な位置関係を取得する。表示制御部は、ユーザと表示部との相対的な位置関係に基づいて、透明スクリーンに投影される映像の画素情報と、調光フィルムの透過率とを制御する。これにより、表示制御装置は、ユーザが表示部からずれたときには表示部を透明状態とし、ユーザが表示部に正対するときには表示部に映像を表示するなど、ユーザに合わせて適切な映像表示を行うことができる。
【０１６２】
また、取得部は、表示部の周囲の環境情報をさらに取得する。表示制御部は、環境情報に基づいて、透明スクリーンに投影される映像の画素情報と、調光フィルムの透過率とを制御する。これにより、表示制御装置は、外光下での映像の視認性を確保しつつ、圧迫感をユーザに感じさせない映像表示を実現することができる。
【０１６３】
また、取得部は、表示部の周囲の照度を取得する。表示制御部は、照度に基づいて、透明スクリーンに投影される映像の画素情報と、調光フィルムの透過率とを制御する。これにより、表示制御装置は、映像を表示するタイミングにおける照度に応じて、適切な表示を行うことができる。
【０１６４】
また、表示制御部は、照度と、映像の画素情報と、調光フィルムの透過率とが予め対応付けられた設定情報に基づいて、映像の画素情報と調光フィルムの透過率とを制御する。これにより、表示制御装置は、プリセットされた最適な設定や、ユーザが所望する設定等に基づいて、映像の表示を制御することができる。
【０１６５】
また、表示制御部は、照度が高いほど、調光フィルムの透過率を下げるとともに、映像の画素の輝度値が高くなるよう制御する。これにより、表示制御装置は、検知された外光等の照度に応じて、適切な表示を行うことができる。
【０１６６】
また、取得部は、透過率が可変な調光ミラーをさらに含む表示部の周囲の環境情報を取得する。表示制御部は、環境情報に基づいて、透明スクリーンに投影される映像の画素情報と、調光フィルムの透過率と、調光ミラーの透過率との少なくともいずれかを制御する。これにより、表示制御装置は、物理ミラーと電子ミラーのいずれかの映像を選択的に表示するなど、利便性に優れた映像体験をユーザに提供することができる。
【０１６７】
また、表示制御部は、環境情報と、映像の画素情報、調光フィルムの透過率、及び調光ミラーの透過率の少なくともいずれかと、が予め対応付けられた設定情報に基づいて、映像の画素情報、調光フィルムの透過率、及び調光ミラーの透過率の少なくともいずれかを制御する。これにより、表示制御装置は、半透過状態にしたミラー上に、重複した映像を表示するなど、新鮮な映像体験をユーザに提供することができる。
【０１６８】
（５．ハードウェア構成）
上述してきた各実施形態に係る表示制御装置１００等の情報機器は、例えば図１２に示すような構成のコンピュータ１０００によって実現される。以下、第１の実施形態に係る表示制御装置１００を例に挙げて説明する。図１２は、表示制御装置１００の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス１５００、及び入出力インターフェイス１６００を有する。コンピュータ１０００の各部は、バス１０５０によって接続される。
【０１６９】
ＣＰＵ１１００は、ＲＯＭ１３００又はＨＤＤ１４００に格納されたプログラムに基づいて動作し、各部の制御を行う。例えば、ＣＰＵ１１００は、ＲＯＭ１３００又はＨＤＤ１４００に格納されたプログラムをＲＡＭ１２００に展開し、各種プログラムに対応した処理を実行する。
【０１７０】
ＲＯＭ１３００は、コンピュータ１０００の起動時にＣＰＵ１１００によって実行されるＢＩＯＳ（Basic  Input  Output  System）等のブートプログラムや、コンピュータ１０００のハードウェアに依存するプログラム等を格納する。
【０１７１】
ＨＤＤ１４００は、ＣＰＵ１１００によって実行されるプログラム、及び、かかるプログラムによって使用されるデータ等を非一時的に記録する、コンピュータが読み取り可能な記録媒体である。具体的には、ＨＤＤ１４００は、プログラムデータ１４５０の一例である本開示に係る表示制御プログラムを記録する記録媒体である。
【０１７２】
通信インターフェイス１５００は、コンピュータ１０００が外部ネットワーク１５５０（例えばインターネット）と接続するためのインターフェイスである。例えば、ＣＰＵ１１００は、通信インターフェイス１５００を介して、他の機器からデータを受信したり、ＣＰＵ１１００が生成したデータを他の機器へ送信したりする。
【０１７３】
入出力インターフェイス１６００は、入出力デバイス１６５０とコンピュータ１０００とを接続するためのインターフェイスである。例えば、ＣＰＵ１１００は、入出力インターフェイス１６００を介して、キーボードやマウス等の入力デバイスからデータを受信する。また、ＣＰＵ１１００は、入出力インターフェイス１６００を介して、ディスプレイやスピーカやプリンタ等の出力デバイスにデータを送信する。また、入出力インターフェイス１６００は、所定の記録媒体（メディア）に記録されたプログラム等を読み取るメディアインターフェイスとして機能してもよい。メディアとは、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１７４】
例えば、コンピュータ１０００が実施形態に係る表示制御装置１００として機能する場合、コンピュータ１０００のＣＰＵ１１００は、ＲＡＭ１２００上にロードされた表示制御プログラムを実行することにより、制御部１３０等の機能を実現する。また、ＨＤＤ１４００には、本開示に係る表示制御プログラムや、記憶部１２０内のデータが格納される。なお、ＣＰＵ１１００は、プログラムデータ１４５０をＨＤＤ１４００から読み取って実行するが、他の例として、外部ネットワーク１５５０を介して、他の装置からこれらのプログラムを取得してもよい。
【０１７５】
なお、本技術は以下のような構成も取ることができる。
（１）
プロジェクタから投影される映像を反射する透明スクリーンと、透過率が可変な調光フィルムと、を含む表示部に投影される映像を視認するユーザの動作に関する情報を取得する取得部と、
前記ユーザの動作に関する情報に基づいて、前記透明スクリーンに投影される映像の画素情報と、前記調光フィルムの透過率とを制御する表示制御部と
を備えた表示制御装置。
（２）
前記取得部は、
前記ユーザの動作に関する情報として、当該ユーザの視線に関する情報を取得し、
前記表示制御部は、
前記ユーザの視線に関する情報に基づいて、前記透明スクリーンに投影される映像の画素情報と、前記調光フィルムの透過率とを制御する
前記（１）に記載の表示制御装置。
（３）
前記取得部は、
前記ユーザの視線に関する情報に基づいて、複数存在する前記表示部のうち、当該ユーザが注視する表示部に関する情報を取得し、
前記表示制御部は、
前記ユーザが注視する表示部と当該ユーザが注視しない表示部とが、異なる画素情報及び透過率となるよう制御する
前記（１）又は（２）に記載の表示制御装置。
（４）
前記表示制御部は、
前記ユーザが注視する表示部には、映像を投影するとともに前記調光フィルムを遮光するよう制御し、当該ユーザが注視しない表示部には、映像を投影せずに前記調光フィルムを透過するよう制御する
前記（３）に記載の表示制御装置。
（５）
前記取得部は、
前記ユーザの動作に関する情報として、前記ユーザの頭部のトラッキング情報を取得し、
前記表示制御部は、
前記ユーザの頭部のトラッキング情報に基づいて、前記透明スクリーンに投影される映像の画素情報と、前記調光フィルムの透過率とを制御する
前記（１）から（４）のいずれかに記載の表示制御装置。
（６）
前記取得部は、
前記表示部に正対するユーザと当該表示部との相対的な位置関係を取得し、
前記表示制御部は、
前記ユーザと表示部との相対的な位置関係に基づいて、前記透明スクリーンに投影される映像の画素情報と、前記調光フィルムの透過率とを制御する
前記（５）に記載の表示制御装置。
（７）
前記取得部は、
前記表示部の周囲の環境情報をさらに取得し、
前記表示制御部は、
前記環境情報に基づいて、前記透明スクリーンに投影される映像の画素情報と、前記調光フィルムの透過率とを制御する
前記（１）から（６）のいずれかに記載の表示制御装置。
（８）
前記取得部は、
前記表示部の周囲の照度を取得し、
前記表示制御部は、
前記照度に基づいて、前記透明スクリーンに投影される映像の画素情報と、前記調光フィルムの透過率とを制御する
前記（７）に記載の表示制御装置。
（９）
前記表示制御部は、
前記照度と、前記映像の画素情報と、前記調光フィルムの透過率とが予め対応付けられた設定情報に基づいて、当該映像の画素情報と当該調光フィルムの透過率とを制御する
前記（８）に記載の表示制御装置。
（１０）
前記表示制御部は、
前記照度が高いほど、前記調光フィルムの透過率を下げるとともに、前記映像の画素の輝度値が高くなるよう制御する
前記（８）又は（９）に記載の表示制御装置。
（１１）
前記取得部は、
透過率が可変な調光ミラーをさらに含む表示部の周囲の環境情報を取得し、
前記表示制御部は、
前記環境情報に基づいて、前記透明スクリーンに投影される映像の画素情報と、前記調光フィルムの透過率と、前記調光ミラーの透過率との少なくともいずれかを制御する
前記（１）から（１０）のいずれかに記載の表示制御装置。
（１２）
前記表示制御部は、
前記環境情報と、前記映像の画素情報、前記調光フィルムの透過率、及び前記調光ミラーの透過率の少なくともいずれかと、が予め対応付けられた設定情報に基づいて、当該映像の画素情報、当該調光フィルムの透過率、及び当該調光ミラーの透過率の少なくともいずれかを制御する
前記（１１）に記載の表示制御装置。
（１３）
コンピュータが、
プロジェクタから投影される映像を反射する透明スクリーンと、透過率が可変な調光フィルムと、を含む表示部に投影される映像を視認するユーザの動作に関する情報を取得し、
前記ユーザの動作に関する情報に基づいて、前記透明スクリーンに投影される映像の画素情報と、前記調光フィルムの透過率とを制御する
表示制御方法。
（１４）
コンピュータを、
プロジェクタから投影される映像を反射する透明スクリーンと、透過率が可変な調光フィルムと、を含む表示部に投影される映像を視認するユーザの動作に関する情報を取得する取得部と、
前記ユーザの動作に関する情報に基づいて、前記透明スクリーンに投影される映像の画素情報と、前記調光フィルムの透過率とを制御する表示制御部と
として機能させるための表示制御プログラム。
【符号の説明】
【０１７６】
１０  プロジェクタ
２０  調光フィルム
３０  透明スクリーン
４０  調光ミラー
６０  スピーカ
１００、２００、３００  表示制御装置
１１０  通信部
１２０、２２０  記憶部
１３０  制御部
１３１  検知部
１３２  取得部
１３３  表示制御部
１３４  調光部
１４０  センサ
１５０、２５０  表示部
１６０  出力部
【図１】
2020087050.tif 000003
【図２】
2020087050.tif 000004
【図３】
2020087050.tif 000005
【図４】
2020087050.tif 000006
【図５】
2020087050.tif 000007
【図６】
2020087050.tif 000008
【図７】
2020087050.tif 000009
【図８】
2020087050.tif 000010
【図９】
2020087050.tif 000011
【図１０】
2020087050.tif 000012
【図１１】
2020087050.tif 000013
【図１２】
2020087050.tif 000014